(57)【特許請求の範囲】
【請求項１】
細長プラスチック異形材３の中に長手方向に配置されている導電体線路６を有する、長手方向にスロットが形成されている電流接触線２のための入口給電装置において、
カバー４を具備し、該カバーは入口給電装置領域の境界を定め、該入口給電装置領域を外部に対して電気的に絶縁し、上記カバーは給電ケーブルを受入れ、該給電ケーブルは上記異形材３の上方に位置する上記カバー内で終端し、１対１対応で複数の導電体線路６に接続するための複数の芯線を含み、
上記給電ケーブルの芯線を上記導電体線路６に電気的に接続するための接続手段を具備し、該接続手段は複数の平形の接合バー５を有し、該各接合バーは上記給電ケーブルの１つの上記芯線を１つの導電体線路６に接続し、上記異形材３の外側側壁に対向して位置し、少なくとも部分的に上記外側側壁に平係合して当接し、かつ上記接合バー５は上記カバー４の中で導電体線路６から垂直に上方へ向かって延在して上記異形材３の上方の領域の中にまで延びていることを特徴とする電流接触線のための入口給電装置。
【請求項２】
上記接合バー５が、脚部５ａにより形成されている下端部を有し、接合バー５がＬ形を有するように長手方向に延在し、接合バーの脚部５ａは導電的に上記導電体線路６に平係合することが可能であることを特徴とする請求項１に記載の電流接触線のための入口給電装置。
【請求項３】
上記接続手段がクランプ７ａを有し、クランプ７ａは、上記異形材３を貫通する導電体線路６を抱込んで、その適所に上記接合バーの脚部５ａを保持することを特徴とする請求項２に記載の電流接触線のための入口給電装置。
【請求項４】
上記クランプ７ａがねじ締め部材９を有し、該ねじ締め部材はクランプ７ａ上に支持され、長手方向に対して横断方向に、上記接合バー５の脚部５ａを導電体線路６に押圧することを特徴とする請求項３に記載の電流接触線のための入口給電装置。
【請求項５】
上記脚部５ａがクランプ７ａの横方向開口部の中に挿入可能であることを特徴とする請求項３に記載の電流接触線のための入口給電装置。
【請求項６】
上記接合バー５の上端部に給電ケーブルクリップ１３を有し、該給電ケーブルクリップは、導電的に給電ケーブルの芯線を固定するように形成されていることを特徴とする請求項１に記載の電流接触線のための入口給電装置。
【請求項７】
上記カバー４は、互いに対向して配置された端部部品４ａ、４ａを有し、該端部部品は、上記入口給電装置９の領域を定めるために長手方向に所定間隔で配置され、上記端部部品４ａは上記異形材３と適合し異形材を抱込むように形成されていることを特徴とする請求項１に記載の電流接触線のための入口給電装置。
【請求項８】
上記カバー４は、長手方向に２つに分割された中央本体４ｂを有し、該中央本体は、上記カバーの端部部品４ａ、４ａにロック可能に形成されたことを特徴とする請求項７に記載の電流接触線のための入口給電装置。
【請求項９】
上記カバー４ａの端部部品４ａ、４ａは同一形状であり、上記カバーの中央本体４ｂは、上記端部部品４ａと連結固定するために互いに対向して位置する端部を有することを特徴とする請求項７に記載の電流接触線のための入口給電装置。
【請求項１０】
端部部品４ａ、４ａに中央本体４ｂを取外し可能に固定するロック手段を設けたことを特徴とする請求項８に記載の電流接触線のための入口給電装置。
【請求項１１】
導電体線路６を収容する細長プラスチック異形材３を有する電流接触線２と、入口給電装置１の領域を定めるように上記異形材３に取付けられるカバー４と、導電体線路６に給電ケーブル芯線を電気的に結合するための平形の接合バー５とを組合せた、長手方向にスロットが形成されている電流接触線のための入口給電装置において、上記接合バー５がカバーの中で垂直方向に上記異形材３の外部で延在し、上記異形材の側壁に対向して位置する平側面を有し、少なくとも部分的に上記側壁に平係合して当接し、上記接合バー５の下端部は、上記異形材３の中の開口部２ｂを貫通して上記導電体線路６に導電的に係合することを特徴とする電流接触線のための入口給電装置。
【請求項１２】
上記接合バー５はＬ形を有し、上記接合バーの下端部が長手方向に延在して、上記導電体線路６に導電的に平結合することを特徴とする請求項１１に記載の電流接触線のための入口給電装置。
【請求項１３】
上記接合バー５はＵ形クランプ７ａを有し、該クランプは、導電体線路６を抱込んで接合バーの下端部を導電体線路の適所に保持することを特徴とする請求項１１に記載の電流接触線のための入口給電装置。
【請求項１４】
上記Ｕ形クランプ７ａはねじ締め部材９を有し、該ねじ締め部材は、長手方向に対して横断方向に上記接合バー５の下端部を導電体線路に押圧することを特徴とする請求項１３に記載の電流接触線のための入口給電装置。
【請求項１５】
上記接合バーの下端部が、クランプ７ａの横方向開口部８の中に挿入可能であることを特徴とする請求項１３に記載の電流接触線のための入口給電装置。
【請求項１６】
上記接合バー５はその上端部に給電ケーブルクリップ１３を有し、上記給電ケーブル芯線を接合バー５に導電的に取付けることを特徴とする請求項１１に記載の電流接触線のための入口給電装置。
【請求項１７】
上記カバー４は、２つの半体を形成するように長手方向に分割された中央本体４ｂと、互いに間隔を置いて配置した端部部品４ａとを有し、該中央本体４ｂは、上記端部部品４ａを接続するために互いに対向して形成した下部を有することを特徴とする請求項１１に記載の電流接触線のための入口給電装置。
【請求項１８】
上記端部部品４ａは上記異形材３と適合して異形材３を抱込むように形成されたことを特徴とする請求項１７に記載の電流接触線のための入口給電装置。
【発明の詳細な説明】
【０００１】
【発明の属する技術分野】
本発明は、例えば細長プラスチック異形材の中に長手方向に配置されている導電体線路を有し、長手方向にスロットを形成した電流接触線のための入口給電装置（INLET POWER FEED FOR LONGITUDINALLY SLOTTED CURRENT CONTACT LINES）に関する。
【０００２】
【従来の技術】
米国特許第３３３７６９７号明細書が開示する、電流接触線のための入口給電装置のタイプは、細長プラスチック異形材を有し、この異形材は開口を有し、この開口と貫通してターミナルクリップは多芯ケーブルの芯線に接続可能であり、入口給電装置領域は絶縁ハウジングにより取囲まれている。更に、垂直に上方へ向かって延在してプラスチック異形材の上方の領域内に到達する導電体バーが設けられている。
【０００３】
米国特許第４０９０５９４号明細書は平形接合バーを開示している。
【０００４】
アカッパ社（the company Akapp）により出版された題名が「多導電体（Multiconductor）」の刊行物は、導電体線路を収容するハウジングを形成するために塩化ポリビニルの細長異形材からなる電流接触線のための入口給電装置を開示している。入口給電装置の領域内でターミナルクリップが導電体線路に取付けられ、ハウジングの中の開口を貫通して外部へ案内されている。このようにして、各クリップと各導電体とは、給電ケーブルの芯線に導電的に接続されている。
【０００５】
【発明が解決しようとする課題】
入口給電装置領域はさらに付加的ハウジングカバーにより保護され、このハウジングカバーにより入口給電装置領域は外部に対して絶縁される。多芯ケーブルは、ハウジングカバーを貫通して内部に突出し、ハウジングカバーで固定されている。このタイプの入口給電装置の１つの欠点は、その幅が比較的幅広いので、いくつかの接触線を横並びに配置することが非常に困難であることである。また、給電ケーブルの比較的太い芯線は、クリップに取付けるためには大幅に湾曲することが必要であるので、入口給電装置への取付けが困難であるという欠点もある。
【０００６】
本発明は、かかる状況に鑑みてなされたもので、本発明の１つの目的は、前述の欠点を除去するように改善された電流接触線のための入口給電装置を提供することにあり、とりわけ、細長い形状を呈し、取付けを大幅に簡単化するように改善された電流接触線のための入口給電装置を提供することにある。
【０００７】
【課題を解決するための手段】
本発明は、カバーを具備し、カバーは入口給電装置領域の境界を定め、入口給電装置領域を外部から電気的に絶縁し、カバーは給電ケーブルの端部を受け入れ、給電ケーブルは細長プラスチック異形材の上方に位置する上記カバー内で終端し、１対１対応で複数の導電体線路に接続するための複数の芯線を含み、給電ケーブルの芯線を導電体線路に電気的に接続するための接続手段を具備し、該接続手段は複数の平形の接合バーを有し、各接合バーは給電ケーブルの芯線を導電体線路に接続し、細長プラスチック異形材の側壁に対向して配置され、少なくとも部分的に外側側壁によって支持され、上記カバーの中で導電体線路から垂直に上方へ向かって延在して細長プラスチック異形材の上方の領域の中にまで延びていることを特徴とする。
【０００８】
接合バーが平形であるので、接合バーを細長プラスチック異形材に当接して取付け、接合バーの給電ケーブルへの取付け位置は細長プラスチック異形材の上方の領域の中へシフトすることが可能であり、これにより入口給電装置は非常に細長い形状に形成されることが可能である。更に、対応する接合バーに取付けのために給電ケーブルの芯線を湾曲することは不要である。すなわち、芯線を単に広げるだけでよい。
【０００９】
本発明の別の１つの態様では、接合バーの下端部に脚部を形成し、脚部を、接合バーに対してほぼＬ形に形成し、接合バーの脚部が導電体線路に導電的に平係合（flat engagement）することが可能であるように形成することにより更に簡単化される。接合バーのＬ形により脚部の導電体線路との平結合が広い領域にわたり行なわれ、取付けが簡単化される。更にＬ形接合バーの脚部には、導電体線路を抱込むＵ形クランプを設けることにより簡単に脚部を導電体線路に当接させて保持することが可能である。
【００１０】
好適には、接合バーの脚部のＵ形クランプに長手方向を横切るようにねじ締め部材を設け、これにより脚部を導電体線路に押圧できるようにする。クランプを予め組付けることができ、簡単かつ確実な接続を実現できるので、有利である。この組立ては、脚部をクランプの横方向開口の中に挿入することにより更に簡単化される。
【００１１】
本発明の別の１つの態様では接合バーの上端には、給電ケーブルの心線を固定するクリップが導電的に取付けられている。このようにして芯線は、僅かな操作で現場で接合バーに容易に接続することが可能である。
【００１２】
カバーの製造の複雑性を低減するために、カバーは、入口給電装置領域の境界を定めるために長手方向で互いに間隔を置いて配置する端部部品と、細長プラスチック異形材を形状結合で取囲むスリーブの形で形成する。これによりカバーは僅かな数の構成要素で形成可能であり、現場で容易に組立てが可能である。
【００１３】
本発明の別の１つの態様ではカバーの本体を長手方向に分割して２つの同一の半体を形成し、半体は、端部でロック可能であるように形成される。更にカバー本体の両端は同一の端部部品に接続可能である。これにより構成要素の数が低減され、組立ての複雑性が低減される。好適には本体は、適切なロック部材により端部部品に取外し可能に接続される。
【００１４】
【発明の実施の形態】
本発明の前述及びその他の目的、特徴及び利点を添付図面を用いてより詳細に説明する。なお、図面における同一又は対応する部分は、同一の参照番号を用いる。
【００１５】
図１に斜視図で示された入口給電装置（an inlet power feed）１は、電流接触線（a current contact line）２に電力を供給する。この電流接触線２は、長手スロット（図示省略）が形成されている底面を有する。電流接触線２は、細長プラスチック異形材（an elongate plastic profile）３を有する。このプラスチック異形材３は、ケーシングを形成しており、その内部には係留溝２ａ（図２参照）が形成されている。この係留溝２ａは、電流接触線２の長手方向に延在し、複数の導電体線路（current conductor rails）６を収容する。これにより、操作中に電流接触線２の中で長手方向に走行する図示省略のトロリー（a trolley）との共働が実現される。
【００１６】
入口給電装置１はカバー４を備える。このカバー４は、ハウジングを形成しており、中央本体４ｂを有し、中央本体４ｂは、互いに対向して位置する端部部品４ａ、４ａの間で延在する。この端部部品４ａは、電流接触線２の長手方向に所定間隔で配置されている。特に図５に示されているように、中央本体４ｂは、端部部品４ａに取外し可能に取付けられている。この取付けは、ロッキング機構により実現可能である。このロッキング機構は、互いに相補的に作用する、中央本体４ｂに取付けられているスナップ装着式のロッキング部材１６（図５参照）と、端部部品４ａのアンダーカット１３ａ（図２参照）とにより構成されている。このようにして、カバー４の中央本体４ｂと端部部品４ａとは互いに取外し可能に接続することが可能である。
【００１７】
中央本体４ｂは中央で分割され、２つの同一の半体からなる。これらの半体には、図１に示すようにキャッチ１７が形成され、このキャッチ１７は、端部部品４ａの中に形成されている相補的な穴１８の中に係合され、半体の中央本体４ｂが位置決めされる。これにより、中央本体４ｂと端部部品４ａとのインターロックが可能となる。更に半体の中央本体４ｂ、４ｂの上面にねじ１９（図６参照）のための特別のタブ１４が設けられ、これにより、半体の中央本体４ｂ、４ｂを互いに固定することが可能となる。
【００１８】
端部部品４ａのうちの１つには、２つの漏斗状に突出する給電ケーブルを支持するスリーブ（two funnel-shaped cable support sleeves）７が形成されている。これにより、多芯給電ケーブル（図示省略）を、細長プラスチック異形材３の上方に位置するカバー４の内部空間の中に案内し、この給電ケーブルがカバー４の中で終端することができる。端部部品４ａに形成されているスリーブ７の数は、一例としてのみ示され、必要な場合には変更することが可能である。
【００１９】
スリーブ７は、給電ケーブルの異なる直径に適合するように形成され、この適合は、適切な位置でスリーブ７を切断するだけでよい。すなわち、この切断により給電ケーブルは、端部部品４ａの中に形成される相補的な開口（図示省略）を貫通してカバー４の内部に入り込むことが可能となる。この開口は端部部品４ａの適切な壁部分２０を押抜くことにより実現されることが好適である（図４参照）。このようにして、給電ケーブルを通すために押し開かれるまで開口は水密に密封される。
【００２０】
図１においては、前部半体の中央本体４ｂが除去され、入口給電装置１の内部構成要素が示されている。同図に示すように、入口給電装置１は導電性接合バー５を含む。この接合バー５は、カバー４の中の電流接触線２に位置決めされ、これにより、導電体線路６が給電ケーブルの芯線に接続されることが実現される。この場合に、１つの接合バー５は、１つの導電体線路６を１つの給電ケーブル芯線に接続するのに用いられる。各接合バー５は同一の構造を有する。接合バー５に関する次の説明は、その他の接合バーにも当てはまる。
【００２１】
各接合バー５は、横断面矩形の平ワイヤとして形成され、カバー４の中で導電体線路６のうちの対応する線路から上方へ向かって垂直方向に延在して、プラスチック異形材３の上方の領域の中に到達し、これにより給電ケーブル芯線のうちの対応する芯線との電気的接続が実現される。図１から明らかなように接合バー５は、細長プラスチック異形材３の平らな側面が外側側壁１０に対向して延在し、少なくとも部分的に外側側壁１０に平らに結合する。好適には、それぞれの接合バー５は、細長スロット１１を貫通して案内され、細長スロット１１により外側側壁１０の外側で適所に保持される。細長スロット１１は、プラスチック異形材３に沿って端部部品４ａから突出している延長部１２の中に形成される。
【００２２】
特に図３に示されているように、接合バー５はほぼＬ形を有し、アングル形脚部５ａが形成され、この脚部５ａは電流接触線２の長手方向に延在する。脚部５ａは、導電体線路６の外面に平らに電気的に係合し、Ｕ形クランプ７ａにより適所に保持される。このクランプ７ａは、プラスチック異形材３に設けた開口部２ｂを貫通し突出して、導電体線路６を抱込んでいる。クランプ７ａは、電流接触線２の長手方向に開口した開口部８を有する。脚部５ａは、開口部８を通ってクランプ７ａ内に挿入可能であり、クランプ７ａの中に入った状態で、ねじ締め部材９により導電体線路６に押圧される。ねじ締め部材９は、プラスチック異形材３の長手方向に対して横断方向に、クランプ７ａに形成されたねじに取付けられている。
【００２３】
図３又は図２に示すように、各接合バー５は、その上端部に給電ケーブルクリップ１３を有する。このクリップ１３は、ねじ締め部材２１により接合バー５に固定され、芯線をクリップ１３の開口部１５の中に挿入することにより給電ケーブル芯線に電気的に接続することができる。開口部１５は、ねじ２３を介して調整部材２２を調整することにより挿入芯線の寸法に適合させて、その大きさを支えることが可能である。芯線を開口部１５の中に適所に取付けた後に、ねじ締め部材２１を締付けることにより開口部１５に芯線を固定する。給電ケーブルの芯線は、電流接触線２のほぼ長手方向に延在しているので、取付けは、芯線を僅かに湾曲するだけで実現できる。
【００２４】
接合バー５の取付けは、最初に接合バー５をそれぞれの細長スロット１１を貫通させて適所に位置決めすることにより行なう。次いで、脚部５ａを導電体線路６に当接して固定し、芯線をクリップ１３の中の開口部１５の中に取付ける。接合バー５を取付けた後に、カバー４の半体（中央本体４ｂ）を端部部品４ａにスナップ装着し、ねじ（図６参照）１９により締付け固定する。こうして入口給電装置領域がカバー４によって取囲まれる。
【００２５】
カバー４は、コネクタスリーブとして形成される。このコネクタスリーブの端部部品４ａは、入口給電装置領域を取囲む。端部部品４ａは、ぴったり合うようにプラスチック異形材３を抱込む。カバー４が２つの同一の半体（中央本体４ｂ）に分割され、これらの半体（中央本体４ｂ）が端部部品４ａにロックしているので、入口給電装置１は、中央本体４ｂと一緒にプレハブ方式の組立てが可能である。これにより、不注意にプラスチック異形材３から外れ落ちることが防止される。更に、半体の中央本体４ｂの上面は、そのタブ１４がねじ１９により固定される。このようにしてカバー４は、２つの構成要素４ａ、４ｂを対に配置することによりカバー４を形成する。
【００２６】
本発明は、電流接触線のための入口給電装置において実施しているが、図示の詳細に制限されることはない。種々の変更及び構造変化が、本発明の要旨から逸脱することなしに行われることが可能である。
【図面の簡単な説明】
【図１】  本発明の一実施形態に係る電流接触線のための入口給電装置におけるカバーの中央本体の一つを取り外して、電流接触線へ給電するための内部構造を表した斜視図である。
【図２】  図１の入口給電装置の横断面拡大図である。
【図３】  図１の入口給電装置において接合バーが導電体線路に接触している状態を表した斜視図である。
【図４】  図１のカバーの中央本体の一つを取り外した状態の、中央本体と端部部品との間の接続及び給電ケーブル芯線を取付けるクリップを表した拡大斜視図である。
【図５】  図１のカバーの中央本体と端部部品とのロッキング機構を表す拡大斜視図である。
【図６】  図１の入口給電装置と電流接触線の外観斜視図である。
【符号の説明】
１  入口給電装置
２  電流接触線
２ａ  係留溝
２ｂ、８、１５  開口部
３  細長プラスチック異形材
４  カバー
４ａ  端部部品
４ｂ  中央本体
５  導電性接合バー
５ａ  脚部
６  導電体線路
７  スリーブ
７ａ  クランプ
９、２１  ねじ締め部材
１０  外側側壁
１１  細長スロット
１２  延長部
１３  給電ケーブルクリップ
１３ａ  アンダーカット
１４  タブ
１６  ロッキング部材
１７  キャッチ
１８  穴
１９、２３  ねじ
２０  壁部分
２２  調整機構
【図１】
0004249844.tif 000002
【図２】
0004249844.tif 000003
【図３】
0004249844.tif 000004
【図４】
0004249844.tif 000005
【図５】
0004249844.tif 000006
【図６】
0004249844.tif 000007